(57)【要約】【課題】照明器具の組み合わせ構造を提供する。【解決手段】扁平リング５、カップ６、及びフレーム７を順に外殻４内へ設置する構造において、該外殻表面に電気コードを通す孔４２を設け、該外殻内壁に段部４３を設け、該段部上にブロック４３１を設けてなり、該扁平リングを該段部上に支持して配置し、且つ該扁平リング片面上へ少なくとも一つの弾力部５２を設け、弾力部へ欠け口５２１を設け、該カップ外側に突出ブロック６３を設け、該突出ブロックは上述の弾力部に設けた欠け口内へ嵌合することにより、該カップもまた弾力部の反発力を受けた状態で扁平リング上へ固定され、フレームと外殻へそれぞれ設けた凹型溝により形成される通路中へ細長いバネ材２を設置することにより更に堅牢に固定し、同時にフレーム上へワッシャー７３、７４を設けて防水作用を持たせる。【選択図】  図２
0003104566.tif 000002
【実用新案登録請求の範囲】
【請求項１】
扁平リング、内部に電球を設置する空間を有するカップ、フレーム及び外殻からなり、カップを順に外殻内
外殻は、内部にこれらの設置空間を有し、外表面から内部に電気コードを通す孔を設けた外殻の内壁に段部を設けると共に該段部上にブロックを設けてなり、
該扁平リングは、該外殻内に上述の段部に支持されて設置されると共に、その外周に溝を設け、上述の外殻のブロックを該溝に嵌合するものであって、該扁平リング片面上へ少なくとも一つの弾力部を扁平リング上に間隔をあけて鋼片を配置してスポット溶接により形成して該扁平リングと弾力部の相対する箇所に欠け口をそれぞれ設けてなり、
該カップは、内部に電球を設置する空間を設けてなるものであって、該カップ外側に突出ブロックを設け、該カップを上記外殻へ順に設置する時、該突出ブロックが上述の弾力部に設けた欠け口内に嵌合し、同時に該カップもまたその弾力部の反発力を受けた状態で扁平リング上へ堅牢に固定され、
さらに該フレームは、小フレーム部を具え、該扁平リング、及びカップを順に外殻内に設置した後、該小フレーム部と外殻の嵌合構造により固定されること、
を特徴とする照明器具の組み合わせ構造。
【請求項２】
前記弾力部は扁平リング上に間隔をあけて鋼片を配置してスポット溶接したものであり、該扁平リングと弾力部の相対する位置に欠け口をそれぞれ設けることを特徴とする請求項１に記載の照明器具の組み合わせ構造。
【請求項３】
前記扁平リングが曲折することにより外殻の段部上に配置された状態で弾力部として反発力を作用するものであり、その周囲に複数の弧状凹型部を設け、前述の弾力部が形成する弾性効果を達成することを特徴とする請求項１に記載の照明器具の組み合わせ構造。
【請求項４】
前記フレームに具える小フレーム部の前端と側面へそれぞれ溝、を設け、該溝内にそれぞれワッシャーを設けることにより防水作用をもたせたことを特徴とする請求項１に記載の照明器具の組み合わせ構造。
【請求項５】
前記小フレーム部の外周上に凹型溝を設け、該凹型溝上にネジ孔を設け、該外殻内壁の該フレームと接する所へ凹型溝を設け、該凹型溝上へ穿孔を設け、該フレームを該外殻へ設置する時、二つの凹型溝が接合して空洞の通り道を形成し、同時に該二つの凹型溝にそれぞれ設けたネジ孔と穿孔は該外殻の同一面上で対応して位置し、該通り道の中へ細長い棒を配置して該ネジ孔の両端へ該細長い棒の両端を嵌合し、更にネジをネジ孔へ螺着することにより、堅牢に固定されることを特徴とする請求項１に記載の照明器具の組み合わせ構造。
【請求項６】
前記外殻端に外カップを配置したカップの別片端へ電球を入れるための開口部を設け、且つ該外殻内部に電球を設置する空間を設けてなることを特徴とする請求項１に記載の照明器具の組み合わせ構造。
【請求項７】
前記フレームの具有する小フレーム部上に連接部を設けると共に、外殻内壁の該フレームと相対する箇所に突起を設け、該フレームをまわして該フレーム７の該連接部に該外殻の突起を嵌合させることにより、該外殻４上に固定することを特徴とする請求項１に記載の照明器具の組み合わせ構造。
【請求項８】
前記細長い棒をバネとしたことを特徴とする請求項１に記載の照明器具の組み合わせ構造。
【請求項９】
前記細長い棒を鋼鉄線としたことを特徴とする請求項１に記載の照明器具の組み合わせ構造。
【考案の詳細な説明】
【技術分野】
【０００１】
本考案は、特に組み合わせが簡単であり、組み合わせ後の構造も堅牢に固定されており、陸、海、空等の交通工具用照明器具及びサーチライトなどの照明に適用する照明器具の組み合わせ構造に関わる。
【背景技術】
【０００２】
図１に示すように、公知の照明器具は、ランプソケット10、照明部11、及び締め部12により組み合わされ、該ランプソケット10は開口部101を具有し、該開口部101上に内側ねじ山102を設け、該締め部12の外周にも相対する外側ねじ山103を設け、組み合わせ時にランプソケット10の内へ照明部11を設置した後、締め部12はランプソケット10上に設けられ、照明器具となる。
公知の照明器具の組み合わせは、ランプソケット10内へ設ける照明部11は正規メーカーの工場にて設けられ、ランプソケット10及び締め部12と一緒に製造及び販売される。車両用ランプを例にとってみると、照明部11は消費者の好み又は破損などにより交換するとが往々にしてあるが、照明器具を製造しているメーカーは多く、購入したい照明器具の照明部11とランプソケット10の製造工場、メーカーが異なることもあり、もし、照明部11が小さすぎると、ランプソケット10へ設置した後隙間ができ、水漏れ又は安全性に欠けるものとなり、また照明部11が大きすぎると、ランプソケット10へ取り付けることも、どうすることもできないということが発生する。
更に車輌がエンジンをかけると、不規則な揺れ、振動が発生し、特に走行中道路状況により、バイク、自動車のエンジンの回転速度は異なり、これにより締め部12はネジを逆方向に向かってスライド又は回転させてしまい、締め部12及び照明部11がはずれてしまうことが起こりうる。
この他、ランプソケット10の壁の厚さは極端に薄く、製品の製造過程において、内側ねじ山102を設けるとき固定し難く、且つ離脱し易く、また、ランプソケット10の開口部にはねじ山を具有し、照明部11をランプソケット10へ設置し難く、及び螺合ホルダー12をしめにくい。
【考案の開示】
【考案が解決しようとする課題】
【０００３】
上述公知の構造の欠点を解決するため、主に簡単に組み合わせられ、組み合わせ後の構造も堅牢に固定されており、容易にはずれたりしない、照明器具の構造を提供することを課題とする。
【課題を解決するための手段】
【０００４】
上記課題を解決するため、
請求項１の考案は、設置空間を具有し、該外殻表面に電気コードを通す孔を設ける外殻、該外殻内壁に段部を設け、該段部上にブロックを設け、
該外殻内に設置し、上述の段部へ支えられるように設置する該扁平リング、該扁平リングの外周に溝を設け、上述のブロックを溝へ嵌合し、該扁平リング片面上へ少なくとも一つの弾力部を設け、該弾力部は扁平リング上に間隔をあけて鋼片を配置して点溶接したものであり、該扁平リングと弾力部へ相対する欠け口をそれぞれ設け、
内部に電球を設置する空間を設けるカップ、該カップ外側に突出ブロックを設け、該カップを外殻へ順に設置する時、該突出ブロックは上述の弾力部に設ける欠け口内へ嵌合し、同時に該カップもまた反発力も有しながら扁平リング上へ堅牢に固定し、
小フレーム部を具有し、該扁平リング、及びカップを順に外殻内に設置した後、外殻上に設置するフレーム、
を特徴とする照明器具の組み合わせ構造。
請求項２の考案は、前記弾力部は扁平リング上に間隔をあけて鋼片を配置して点溶接したものであり、該扁平リングと弾力部へ相対する欠け口をそれぞれ設けることを特徴とする請求項１に記載の照明器具の組み合わせ構造。
請求項３の考案は、前記扁平リングを別に曲折して設けることもでき、その周囲に複数の弧状凹型部を設け、前述の弾力部が形成する弾性効果を達成することを特徴とする請求項１に記載の照明器具の組み合わせ構造。
請求項４の考案は、前記フレームに具有する小フレーム部の前端と側面へそれぞれ溝、を設け、該溝内にそれぞれワッシャーを設けることにより防水効果となることを特徴とする請求項１に記載の照明器具の組み合わせ構造。
請求項５の考案は、前記小フレーム部上に凹型溝を設け、該凹型溝上にネジ孔を設け、該外殻内壁の該フレームと接する所へ凹型溝を設け、該凹型溝上へ穿孔を設け、該フレームを該外殻へ設置する時、二つの凹型溝は接合し、且つ空洞の通り道を形成し、同時に該二つの凹型溝へそれぞれ設けるネジ孔と穿孔は該外殻の同一面上で対応し、該通り道の中へ細長い棒を設置し、
該ネジ孔の両端へ該細長い棒の両端を嵌合し、更にネジをネジ孔へ螺着することにより、堅牢に固定されることを特徴とする請求項１に記載の照明器具の組み合わせ構造。
請求項６の考案は、前記外殻端へ外カップを設けるカップ、該外殻の別片端へ一定の広さを具有する電球を入れるための開口部を設け、且つ該外殻内部に電球を設置する空間を設けることを特徴とする請求項１に記載の照明器具の組み合わせ構造。
請求項７の考案は、前記フレームに具有する小フレーム部上に連接部を設け、外殻内壁の該フレームと相対する所に突起を設け、該フレームをまわし、該フレーム７を該外殻４上に設置することを特徴とする請求項１に記載の照明器具の組み合わせ構造。
請求項８の考案は、前記細長い棒をバネとすることを特徴とする請求項１に記載の照明器具の組み合わせ構造。
請求項９の考案は、前記細長い棒を鋼鉄線とすることを特徴とする請求項１に記載の照明器具の組み合わせ構造。
【０００５】
すなわち、上記各考案は、簡単に組み合わせられ、且つ堅牢に固定される効果を具有する照明器具の組み合わせ構造である。
【考案の効果】
【０００６】
本考案によれば、簡単に組み合わせられ、且つ堅牢に固定させる目的を達成することが出来るという効果を有する。
【考案を実施するための最良の形態】
【０００７】
本考案の実施例を図に沿って説明すると、図２、３に示すように、扁平リング５、カップ６、及びフレーム７を順に外殻４内へ組み込む。
これらを収容する空間４１を有する該外殻４は、外表面に電気コード８を通す孔４２を設け、また内壁に段部４３を設けると共に該段部４３上にブロック４３１を設け、
該扁平リング５は、上述の段部４３上に支持されて設置するものであって、該扁平リング５の外周に上述のブロック４３１が嵌合する溝５１（図４参照）を設けると共に、該扁平リング５片面上に少なくとも一つの弾力部５２を鋼片を間隔をあけて配置してスポット溶接することにより形成して設け、更に、該扁平リング５と弾力部５２には相対する欠け口５２１、５３をそれぞれ設けてなり、
カップ６は、その外殻６２端へ外カップ６１を設け、該外殻６２の別片端へ一定の広さを具有する電球を入れるための開口部６２１を設け、且つ該外殻６２内部に電球を設置する空間を設けてなり、さらに、該カップ６外側に突出ブロック６３を設けて、該カップ６を該外殻４内へ順に配置する時、該突出ブロック６３が上述の扁平リング５の弾力部５２に設けた欠け口５３内へ嵌合し、同時に該カップ６もまた弾力部の反発力を受けた状態で扁平リング５上へ堅牢に固定される。
フレーム７は、小フレーム部７１を具有し、該扁平リング５、及びカップ６を順に外殻４内に配置した後、外殻４上に設置される。
該フレーム７の具有する小フレーム部７１の前端と側面外周にそれぞれ溝７１５、７１６を設け、該溝７１５、７１６内にそれぞれワッシャー７３、７４を嵌合し、該フレーム７を該外殻４へ設置した後、該ワッシャー７３は該フレーム７が該外殻４から離脱することを防止する補助効果及び防水効果を有し、該ワッシャー７４は該カップ６の外カップ６１上に固定されて、効果的に防水作用を発揮する。
【０００８】
該フレーム７を該外殻４上へ堅牢に固定される効果を強化するため、該小フレーム部７１外周上に凹型溝７１１を設け、該凹型溝７１１上にネジ孔７１２を設け、該外殻４内壁の該フレーム７と接する所へ凹型溝４４を設け、該凹型溝４４上へ穿孔４４１を設け、該フレーム７を該外殻４へ設置する時、二つの凹型溝７１１、４４は接合して空洞の通り道を形成し、同時に該二つの凹型溝７１１、４４へそれぞれ設けるネジ孔７１２と穿孔４４１は該外殻４の同一面上で対応し、該通り道の中へ細長い棒２を設置する（該細長い棒２は、バネ又は軟性の鋼鉄線である。）。
該ネジ孔７１２の両端へ該細長い棒２の両端を嵌合し、更にネジ３をネジ孔７１２へ螺着することにより、堅牢に固定される効果を増加する。
【０００９】
本考案を実施するとき、図２、３に示すように、扁平リング５を外殻４内に配置し、該外殻４内の段部４３上のブロック４３１を該扁平リング５に設けた溝５１へ嵌合し、その後、カップ６を該外殻４内に配置し、該カップ６の外部に設ける突出ブロック６３を該扁平リング５と弾力部５２に設ける欠け口５２１、５３内に嵌合し、同時に該カップ６もまたその反発力を受けながら該扁平リング５上に堅牢に固定され、また該扁平リング５は該外殻４内部に設ける段部４３に支えられ、該カップ６は該外殻４内に堅牢に固定され、更にワッシャー７３、７４を設けるフレーム7を該外殻４上へ設置し、該フレーム７に具有する小フレーム部７１と該外殻４の内壁上端に有する二つの凹型溝７１１、４４へそれぞれ設けたネジ孔７１２と穿孔４４１を該外殻４の同一面上で対応させ、同時に二つの凹型溝７１１、４４を接合して通り道を形成し（図には未表示）、該通路内に細長い棒２を設置してネジ孔７１２の両端へ該細長い棒２の両端を嵌合し、更にネジ３をネジ孔７１２へ螺着して固定する。
【００１０】
上記のように、弾力により調節する本考案照明器具の通用性は増加し、各種異なるカップ６において適応し、隙間を自動的に調整し、緊密性を具有するだけでなく、更にフレーム７に設けるワッシャー７３、７４により、全体的な防水効果も高める。
【００１１】
この他、図４に示すように、本考案の扁平リング５を別に曲折して設けることもでき、その周囲に複数の弧状凹型部５４を設けることによって、前述の弾力部５２が形成する弾性効果を達成する。
また、本考案のフレーム７と外殻４の取り付け構造として掛合する形式を用いることもでき、図５に示すように、該フレーム７の小フレーム部７１上に連接部７１３を設け、該連接部７１３端へ凹型溝７１４を設けて、該外殻４内壁の該フレーム７に相対する所に突起４５を設け、該フレーム７をまわすと、該扁平リング５を押さえ、該突起４５を該凹型溝７１４へ嵌合固定することによって、該外殻４上に設置した該フレーム７が振動などによって該外殻４から離脱することはない。
【００１２】
また、図６に示すように、該フレーム７の外周へ上へ向かって延伸する柔軟性を具有する円弧部を設けることもできる。
【産業上の利用可能性】
【００１３】
上述により、本考案は、下記の優れた点を具有し、
１．弧状凹型部を具有する曲折した扁平リング、又は、少なくとも一つの弾力部を具有する扁平リングを設けることにより、該扁平リングとカップを順に外殻内に配置した後、該扁平リングの弾発力により該カップを該外殻内へ堅牢に固定することができ、更に該外殻へフレームを設置した後、該カップが揺れ動いて照明機能に悪い影響を与えることも無い。
２．本考案のフレームと外殻にそれぞれ凹型溝を設け、且つ細長い棒をその中へ設ける構造は、いたって簡単であり、且つ堅牢に固定される組み合わせであり、同時にフレームへワッシャーを設けることにより、照明器具の全体的な防水効果を高めるものである。
【図面の簡単な説明】
【００１４】
【図１】公知の証明器具における各パーツの外観図である。
【図２】本考案の実施例における各パーツの外観図である。
【図３】本考案の実施例における各パーツを組み合わせ後の断面図である。
【図４】本考案の扁平リングを曲折することにより弾力部を取り外す外観図である。
【図５】本考案のフレームと外殻の結合方法の外観図である。
【図６】本考案のフレームの外周に円弧部分を設ける外観図である。
【符号の説明】
【００１５】
１      公知の照明器具
１０    ランプソケット
１０１  開口部
１０２  内側ネジ山
１０３  外側ネジ山
１１    照明部
１２    締め部
２      細長い棒
３      ネジ
４      外殻
４１    設置空間
４２    孔
４３    段部
４３１  ブロック
４４    凹型溝
４４１  穿孔
４５    突起
５      扁平リング
５１    溝
５２    弾力部
５２１  欠け口
５３    欠け口
５４    弧状凹部
６      カップ
６１    外カップ
６２    外殻
６２１  開口部
６３    突出ブロック
７      フレーム
７１    小フレーム部
７１１  凹型溝
７１２  ネジ孔
７１３  連接部
７１４  凹型溝
７１５  溝
７１６  溝
７３    ワッシャー
７４    ワッシャー
７５    円弧部
８      電気コード
【図１】
0003104566.tif 000003
【図２】
0003104566.tif 000004
【図３】
0003104566.tif 000005
【図４】
0003104566.tif 000006
【図５】
0003104566.tif 000007
【図６】
0003104566.tif 000008